(57)【要約】【課題】扉の引出し操作に力が要らず、又、引出した最下段の貯蔵容器に貯蔵された食品を取出す上での使い勝手が良い上、出し入れの頻度の最も高い貯蔵容器の使い勝手も良い冷蔵庫を提供する。【解決手段】扉１５を引出したときに、扉１５の裏側（冷蔵庫本体１の内部）に位置した複数段の貯蔵容器１６〜１８のうちの一部である貯蔵容器１６を除いた残りの複数段の貯蔵容器１８，１７が扉１５と共に引出され、前記除かれた貯蔵容器１６は冷蔵庫本体１の内部に残る構造で、扉１５と共に引出された複数段の貯蔵容器１８，１７のうち、最上段の貯蔵容器１７を、冷蔵庫本体１の内部に残った貯蔵容器１６をも含む複数段の貯蔵容器１６〜１８の中で、最も容積の小さいものとした。【選択図】図１
2008309450.tif 000002
【特許請求の範囲】
【請求項１】
前面に開口部を有する冷蔵庫本体と、
この冷蔵庫本体に引出し式にて前記開口部を開閉するように設けられた扉と、
この扉の裏側において前記冷蔵庫本体の内部に引出し式にて出し入れ可能に収納された貯蔵容器とを具備し、
前記貯蔵容器が複数段に存し、
前記扉を引出したときに、前記複数段の貯蔵容器のうちの一部を除いた残りの複数段の貯蔵容器が扉と共に引出され、前記除かれた貯蔵容器は前記冷蔵庫本体の内部に残る構造で、
前記扉と共に引出された複数段の貯蔵容器のうち最上段の貯蔵容器を、前記冷蔵庫本体の内部に残る貯蔵容器をも含む前記複数段の貯蔵容器の中で、最も容積の小さいものとしたことを特徴とする冷蔵庫。
【請求項２】
貯蔵容器が３段に存し、扉を引出したときに、扉と共に引出される貯蔵容器が下段と中段の貯蔵容器であり、冷蔵庫本体の内部に残る貯蔵容器が上段の貯蔵容器であって、その上段の貯蔵容器を下段の貯蔵容器と中段の貯蔵容器との中間の容積を有するものとしたことを特徴とする請求項１記載の冷蔵庫。
【請求項３】
扉を引出したときに、冷蔵庫本体の内部に残る貯蔵容器の前部が、扉と共に引出された貯蔵容器のうちの最上段の貯蔵容器の後部に載っている構成であることを特徴とする請求項１記載の冷蔵庫。
【請求項４】
扉を引出したときに冷蔵庫本体の内部に残る貯蔵容器が、扉と共に引出された貯蔵容器のうちの最上段の貯蔵容器の上方を滑車で移動する構成であることを特徴とする請求項１記載の冷蔵庫。
【発明の詳細な説明】
【技術分野】
【０００１】
本発明は、引出し式の扉の裏側に存する貯蔵容器構造を改良した冷蔵庫に関する。
【背景技術】
【０００２】
従来より、冷蔵庫においては、冷蔵庫本体が前面に開口部を有し、その開口部を引出し式の扉により開閉するようにすると共に、その扉の裏側（冷蔵庫本体の内部）に貯蔵容器を有するものが供されている。
このものの場合、一般に、貯蔵容器は複数段に存して、いずれも引出式にて出し入れ可能であり、そして、それらの貯蔵容器が、扉を引出したときにすべて扉と共に引出される構造であった。
【０００３】
しかしながら、このものでは、扉を引出したときに複数段のすべての貯蔵容器が出てくる構造であるため、引出し操作に力が要る。又、引出した最下段の貯蔵容器の上には他のすべての貯蔵容器が位置するため、上に位置するそのすべての貯蔵容器を冷蔵庫本体の内部に移動させないと、最下段の貯蔵容器に貯蔵された食品を取出すことができず、使い勝手が良くない、という問題点を有していた。
【０００４】
これに対して、扉を引出したときに、複数段の貯蔵容器のうちの一部を除いた残りの複数段の貯蔵容器だけが扉と共に引出され、前記除かれた貯蔵容器が冷蔵庫本体の内部に残るようにすることが考えられている（例えば特許文献１参照）。
【特許文献１】特開２００６−１８９２２４号公報。
【発明の開示】
【発明が解決しようとする課題】
【０００５】
上述のように考えられたものによると、扉を引出すときには、冷蔵庫本体の内部に残る貯蔵容器以外の貯蔵容器しか扉と共に引出されず、その分、引出し操作に力が要らない。又、引出した最下段の貯蔵容器の上には冷蔵庫本体の内部に残った貯蔵容器以外の貯蔵容器しか位置せず、それだけの貯蔵容器を冷蔵庫本体の内部に移動させるだけで、最下段の貯蔵容器に貯蔵された食品を取出すことができるので、使い勝手が良い。すなわち、上述の問題点を解決できる。
【０００６】
しかしながら、そのものの貯蔵容器は、具体的には、下段、中段、上段の３容器であって、扉を引出したとき、そのうち最も容積の大きな下段の貯蔵容器と、それに次いで容積の大きな中段の貯蔵容器が扉と共に引出され、容積の最も小さい上段の容器が冷蔵庫本体の内部に残るようになっている。
【０００７】
冷蔵庫では、最も容積の大きな下段の貯蔵容器に、箱入りや袋入りの食品など長期保存用の食品を多く貯蔵し、次いで容積の大きな中段の貯蔵容器にも、同様に長期保存用の食品を貯蔵するのが一般的となっている。そして、容積の最も小さな上段の容器には、使い残りの食品等を貯蔵するのが一般的となっていて、その関係上、上段の（容積の最も小さな）容器の出し入れの頻度が最も高い。
【０００８】
しかしながら、上述のように考えられたものでは、扉を引出したとき、上段の容器は冷蔵庫本体の内部に残るため、扉の引出し後に上段の容器を引出す手間が必要であり、結果として使い勝手が良くない。又、冷蔵庫本体の内部に残った上段の容器は、使用者から見えにくく、忘れられがちであり、それによっても使い勝手が良くない、という欠点を有する。
【０００９】
本発明は上述の事情に鑑みてなされたものであり、従ってその目的は、扉の引出し操作に力が要らず、又、引出した最下段の貯蔵容器に貯蔵された食品を取出す上での使い勝手が良い上、出し入れの頻度の最も高い貯蔵容器の使い勝手も良い冷蔵庫を提供するにある。
【課題を解決するための手段】
【００１０】
上記目的を達成するために、本発明の冷蔵庫においては、前面に開口部を有する冷蔵庫本体と、この冷蔵庫本体に引出し式にて前記開口部を開閉するように設けられた扉と、この扉の裏側において前記冷蔵庫本体の内部に引出し式にて出し入れ可能に収納された貯蔵容器とを具備し、前記貯蔵容器が複数段に存し、前記扉を引出したときに、前記複数段の貯蔵容器のうちの一部を除いた残りの複数段の貯蔵容器が扉と共に引出され、前記除かれた貯蔵容器は前記冷蔵庫本体の内部に残る構造で、前記扉と共に引出された複数段の貯蔵容器のうち最上段の貯蔵容器を、前記冷蔵庫本体の内部に残る貯蔵容器をも含む前記複数段の貯蔵容器の中で、最も容積の小さいものとしたことを特徴とする（請求項１の発明）。
【発明の効果】
【００１１】
上記手段によれば、扉を引出すときには、冷蔵庫本体の内部に残る貯蔵容器以外の貯蔵容器しか扉と共に引出されず、その分、引出し操作に力が要らない。又、引出した最下段の貯蔵容器の上には冷蔵庫本体の内部に残った貯蔵容器以外の貯蔵容器しか位置せず、それだけの貯蔵容器を冷蔵庫本体の内部に移動させるだけで、最下段の貯蔵容器に貯蔵された食品を取出すことができるので、使い勝手が良い。
【００１２】
そして、扉の裏側において冷蔵庫本体の内部に引出し式にて出し入れ可能に収納された複数段の貯蔵容器のうち、最も容積が小さくて出し入れの頻度の最も高い貯蔵容器は、扉と共に引出された複数段の貯蔵容器のうちの、最上段の貯蔵容器であり、扉と共に引出されるものであるから、扉の引出し後に引出す手間が必要ない。又、その引出された最上段の貯蔵容器は見やすくもあって、それらにより、出し入れの頻度の最も高い貯蔵容器の使い勝手をも良くすることができる。
【発明を実施するための最良の形態】
【００１３】
以下、本発明の第１実施例（第１の実施形態）につき、図１ないし図５を参照して説明する。
まず、図２には、冷蔵庫本体１を下部のみ示しており、同部の内部は、この場合、全体に冷凍室であって、仕切板２とこれの最前部に設けた仕切桟３とにより上下に仕切られ、上段が上冷凍室４、下段が下冷凍室５となっている。
【００１４】
上記上冷凍室４及び下冷凍室５の奥壁より更に奥方には、両室４，５に共通の冷凍用冷却器室６を形成しており、この冷凍用冷却器室６に、隔壁７と、冷凍用冷却器８、及び冷凍用ファン９を配設し、これらによって上冷凍室４及び下冷凍室５の空気を矢印で示すように循環させると共に、その循環空気を冷却することにより、上冷凍室４及び下冷凍室５の温度がをそれぞれ適正な冷凍温度となるようにしている。
【００１５】
なお、冷蔵庫本体１の背下部には機械室１０を形成しており、この機械室１０には圧縮機１１を配設し、この圧縮機１１と図示しない凝縮器、絞り器（これも図示せず）、上記冷凍用冷却器８、及び冷蔵用冷却器（これも図示せず）等により、所要の冷凍サイクルを構成している。
【００１６】
前記上冷凍室４及び下冷凍室５の前面は、それぞれ開口部１２，１３となっており、この開口部１２，１３をそれぞれ扉１４，１５で開閉するようにしている。そのうち、上冷凍室４の扉１４は、左右両側辺部の一方を図示しないヒンジにて冷蔵庫本体１に枢支したもので、そのヒンジを中心に回動することによって開口部１２を開閉するようなっている。
【００１７】
これに対して、下冷凍室５の扉１５は引出し式であり、図１に示すように、開口部１３から前方に並行移動して開口部１３から離間、図２に示すように、後方に平行移動して開口部１３に接触することにより、開口部１３を開閉するようになっている。この扉１５の裏側の、冷蔵庫本体１の内部は前記下冷凍室５であり、この下冷凍室５には複数段、この場合、上、中、下３段の貯蔵容器１６，１７，１８を配設している。
【００１８】
そのうち、下段の貯蔵容器１８は、図３に示すように、上面が開口する深底の直方体の容器であり、左右の両側部の上部にそれぞれフランジ部１９を有している。これに対して、扉１５の裏面には、図２に示すように、矩形フレーム状の支持枠２０を固着しており、この支持枠２０に上記下段の貯蔵容器１８を上方より収めてフランジ部１９を載置することにより、該支持枠２０に、ひいては扉１５に下段の貯蔵容器１８を着脱可能に支持せしめている。
【００１９】
しかして又、支持枠２０には、図４に示すように、左右の両側部に前後方向に延びる可動レール２１を取付けており、それに対して、下冷凍室５の左右両側部には同じく前後方向に延びる固定レール２２を取付け、この固定レール２２が有したスライドレール２２ａに可動レール２１を摺動可能に組付けることによって、それらの摺動により、支持枠２０が下段の貯蔵容器１８を伴って前後に出し入れされるようにしている。ここで、支持枠２０の出し入れは、扉１５の開閉（前後移動）によって行われるものであり、従って、下段の貯蔵容器１８の出し入れも、支持枠２０と共に扉１５によってなされるようになっている。
【００２０】
中段の貯蔵容器１７は、これも図３に示すように、上面が開口する浅底の直方体の容器であり、従って、容積が下段の貯蔵容器１８より小さい。この中段の貯蔵容器１７の左右の両側部の上部には、それぞれフランジ部２３が存し、このフランジ部２３の前部に下方へ突出する凸部２４を形成している。又、この中段の貯蔵容器１７の外底面の左右両側部には、下方へ突出する突起２５、２６，２７を前後三箇所に形成しており、このうち、中間の突起２６は前後の突起２５，２７よりも大きい。
【００２１】
これに対して、下段の貯蔵容器１８には、奥壁の上部に横幅ほゞ全長にわたる切欠部２８を形成しており、この切欠部２８の左右両端部２８ａ（図３では左側の一方のみ図示）に、中段の貯蔵容器１７の外底面の後部を図２に示すように載置して、該中段の貯蔵容器１７を下段の貯蔵容器１８の内部に収め、そして、該中段の貯蔵容器１７のフランジ部２３を下段の貯蔵容器１８の左右の両側部の上縁部１８ａに載置している。
又、下段の貯蔵容器１８の左右の両側部の中間部には、冷気還元用の多数の孔２９を形成すると共に、前後に延びるレール部３０を内面に形成しており、このレール部３０上に上記中段の貯蔵容器１７の最前部の突起２５を位置させている。
【００２２】
更に、下段の貯蔵容器１８の左右の両側部の上縁部１８ａの前部には、下方へくぼむ凹部３１を形成しており、この凹部３１に上記中段の貯蔵容器１７の凸部２４を係合させている。この結果、中段の貯蔵容器１７は、凸部２４が凹部３１に係合することで、図１に示すように、下段の貯蔵容器１８と共に出し入れされるようになっており、その凹部３１に対する凸部２４の係合力に勝る力で中段の貯蔵容器１７を後方へ押せば、中段の貯蔵容器１７は凸部２４が凹部３１から脱して下段の貯蔵容器１８上を後方へ摺動するようになっている。
【００２３】
従って、扉１５と共に下段の貯蔵容器１８及び中段の貯蔵容器１７を引出した後、下段の貯蔵容器１８内の食品を出し入れする際には、上述のように、凹部３１に対する凸部２４の係合力に勝る力で中段の貯蔵容器１７を後方へ押せば良い。なお、そのように中段の貯蔵容器１７を後方へ押したとき、中間の突起２６が下段の貯蔵容器１８の前記切欠部２８の左右両端部２８ａに当接して、中段の貯蔵容器１７のそれ以上の後方への摺動を制するストッパとして機能するようになっている。又、後方へ押した中段の貯蔵容器１７を戻すには、該中段の貯蔵容器１７を凹部３１に凸部２４が係合するまで前方に引けば良い。
【００２４】
上段の貯蔵容器１６は、これも図３に示すように、上面が開口するやゝ浅底の直方体の容器であり、その容積は下段の貯蔵容器１８より小さく、中段の貯蔵容器１７よりも大きい。すなわち、上、中、下３段の貯蔵容器１６，１７，１８のうち、下段の貯蔵容器１８が最も容積が大きく、それに次いで上段の貯蔵容器１６が容積が大きく、中段の貯蔵容器１７が容積が最も小さい。
【００２５】
上段の貯蔵容器１６には、左右の両側部にフランジ部３２（図３では右側の一方のみ図示）を形成し、このフランジ部３２の後部に凸部３３を形成している。それに対して、前記下冷凍室５の左右両内側面の上部には、図２に示すように、前後方向に延びるレール部３４を形成すると共に、前部に滑車３５を設けており、そのうちのレール部３４に上記上段の貯蔵容器１６の凸部３３を載置し、滑車３５にフランジ部３２を載置している。
【００２６】
この結果、上段の貯蔵容器１６は、凸部３３が下冷凍室５のレール部３４上を摺動し、フランジ部３２が滑車３５を回転させつつ該滑車３５上を移動することで、中段の貯蔵容器１７の上方をそれより離間して移動するようになっており、かくして、前記扉１５を開放したときには、図１に示すように、この上段の貯蔵容器１６が下冷凍室５に残って、下段の貯蔵容器１８と中段の貯蔵容器１７とが前述のように引出されるようになっている。
なお、上段の貯蔵容器１６の移動（出し入れ）は、図５に示すように、扉１５と共に下段の貯蔵容器１８及び中段の貯蔵容器１７を引出した状態で行われる。
【００２７】
このように本構成のものでは、冷蔵庫本体１が前面に開口部１３を有し、その開口部１３を引出し式の扉１５により開閉するようにすると共に、その扉１５の裏側（冷蔵庫本体１の内部）に引出式にて出し入れ可能な複数段の貯蔵容器１６〜１８を有するもので、扉１５を引出したときに、上記複数段の貯蔵容器１６〜１８のうちの一部（貯蔵容器１６）を除いた残りの複数段の貯蔵容器１８，１７が扉１５と共に引出され、前記除かれた貯蔵容器１６は冷蔵庫本体１の内部に残る構造としている。
【００２８】
これにより、扉１５を引出すときには、冷蔵庫本体１の内部に残る貯蔵容器１６以外の貯蔵容器１８，１７しか扉１５と共に引出されず、その分、引出し操作に力が要らない。又、引出した最下段の貯蔵容器１８の上には冷蔵庫本体１の内部に残った貯蔵容器１６以外の貯蔵容器１７しか位置せず、その貯蔵容器１７だけを冷蔵庫本体１の内部に移動させるだけで、最下段の貯蔵容器１８に貯蔵された食品を取出すことができるので、使い勝手が良い。
【００２９】
そして、扉１５の裏側において冷蔵庫本体１の内部に引出し式にて出し入れ可能に収納された複数段の貯蔵容器１６〜１８のうち、貯蔵容器１７は最も容積が小さくて出し入れの頻度の最も高い貯蔵容器であり、この貯蔵容器１７は扉１５と共に引出された複数段の貯蔵容器１８，１７のうちの、最上段の貯蔵容器であって、扉１５と共に引出されるものであるから、扉１５の引出し後に逐一引出す手間が必要ない。又、その引出された最上段の貯蔵容器１７は見やすくもあって、それらにより、出し入れの頻度の最も高い貯蔵容器１７の使い勝手も良くすることができる。
【００３０】
加えて、本構成のものの場合、貯蔵容器１６〜１８は具体的には上、中、下の３段に存し、扉１５を引出したときに、扉１５と共に引出される貯蔵容器１８，１７が下段と中段の貯蔵容器であり、冷蔵庫本体１の内部に残る貯蔵容器１６が上段の貯蔵容器であって、その上段の貯蔵容器１６を下段の貯蔵容器１８と中段の貯蔵容器１７との中間の容積を有するものとしている。これにより、扉１５を貯蔵容器１８，１７を伴って引出した後に引出す貯蔵容器１６の容積が大きくなく、容積の最も大きな貯蔵容器１８を後で引出すよりも引出し操作力が少なくて済むので、それだけ操作性を更に良くすることができる。
【００３１】
更に、本構成のものの場合、扉１５を引出したときに冷蔵庫本体１の内部に残る貯蔵容器１６が、扉１５と共に引出された貯蔵容器１８，１７のうちの最上段の貯蔵容器１７の上方を滑車３５で移動する構成としている。これにより、貯蔵容器１６の出し入れをスムーズに行わしめることができる。
【００３２】
以上に対して、図６及び図７は本発明の第２及び第３実施例（第２及び第３の実施形態）を示すもので、第１実施例と同一の部分には同一の符号を付して説明を省略し、異なる部分についてのみ述べる。
【００３３】
［第２実施例］
図６に示す第２実施例においては、上段の貯蔵容器１６の左右の両側部の上側後部に側方へ突出する凸部４１を形成し、底部の最前部に脚部４２を形成している。又、それに対して、下冷凍室５の左右両内側面の上部には、前後方向に延びるレール部４３を形成しており、このレール部４３に上記上段の貯蔵容器１６の凸部４１を載置し、上段の貯蔵容器１６の脚部４２を中段の貯蔵容器１７の左右両側の上縁部１７ａに載置している。
【００３４】
この結果、上段の貯蔵容器１６は、凸部４１が下冷凍室５のレール部４３上を摺動し、脚部４２が中段の貯蔵容器１７の左右両側の上縁部１７ａ上を摺動することで、中段の貯蔵容器１７の上方を移動するようになっている。従って、この場合、上段の貯蔵容器１６は、凸部４１で中段の貯蔵容器１７に接触し、凸部４１でレール部４３に接触しつつ、該中段の貯蔵容器１７の上方を移動するが、その移動する過程で、前記下段の貯蔵容器１８の凹部３１に対する中段の貯蔵容器１７の凸部２４の係合のように引掛かりはなく、かくして、この場合も、図６に示すように、前記扉１５を引出したときには、上段の貯蔵容器１６が下冷凍室５に残って、下段の貯蔵容器１８と中段の貯蔵容器１７とが前述のように引出されるようになっている。
【００３５】
又、この場合、扉１５を引出したときには、冷蔵庫本体１の内部に残る貯蔵容器１６の前部である脚部４２が、扉１５と共に引出された貯蔵容器１８，１７のうちの最上段の貯蔵容器１７の後部に載って残るようにしており、これによって、貯蔵容器１６を引出すときに、該貯蔵容器１６が貯蔵容器１７から離間した状態より貯蔵容器１７に載り移るものとは異なり、上段の貯蔵容器１６の引出しをスムーズに行わしめることができる。
【００３６】
［第３実施例］
図７に示す第３実施例においては、上記第２実施例の上段の貯蔵容器１６の脚部４２を滑車５１に変えて、この滑車５１が中段の貯蔵容器１７の左右両側の上縁部１７ａ上を摺動することで、上段の貯蔵容器１６が中段の貯蔵容器１７の上方を移動するようにしている。これにより、上段の貯蔵容器１６の出し入れを第１実施例同様にスムーズに行わしめることができる。
【００３７】
なお、全実施例を通じて、扉１５を引出したときに、冷蔵庫本体１の内部に残る貯蔵容器１６については、それが扉１５を引出す途中から引出されたとしても、直下の引出された貯蔵容器１７の上面開口の一部しか閉塞しない程度のものであれば、引出し操作に要する力は大して大きくならず、又、その程度に引出された貯蔵容器１６を冷蔵庫本体１の内部に移動させるのにも大した労力は要らない。加えて、その場合、貯蔵容器１６が、直下の引出された貯蔵容器１７の食品の出し入れを阻害することも実質的にない。よって、その程度に貯蔵容器１６が扉１５と共に引出されるものも、扉１５を引出したときに冷蔵庫本体１の内部に残る貯蔵容器として含むものとする。
【００３８】
このほか、本発明は上記し且つ図面に示した実施例にのみ限定されるものではなく、特に扉１５の裏側の冷蔵庫本体１の内部は冷凍室以外の貯蔵室であっても良く、又、その冷凍室を含む貯蔵室に収納される貯蔵容器は個数が３段より多いものであっても良いなど、要旨を逸脱しない範囲内で適宜変更して実施し得る。
【図面の簡単な説明】
【００３９】
【図１】本発明の第１実施例を示す主要部分の開扉状態の縦断側面図
【図２】主要部分の閉扉状態の縦断側面図
【図３】複数段の貯蔵容器の斜視図
【図４】図２のＸ−Ｘ線に沿う一部の拡大縦断正面図
【図５】主要部分の開扉及び全貯蔵容器引出し状態の縦断側面図
【図６】本発明の第２実施例を示す図１相当図
【図７】本発明の第３実施例を示す図１相当図
【符号の説明】
【００４０】
図面中、１は冷蔵庫本体、５は下冷凍室（冷蔵庫本体の内部）、１３は開口部、１５は扉、１６〜１８は貯蔵容器、３５，５１は滑車を示す。
【図１】
2008309450.tif 000003
【図２】
2008309450.tif 000004
【図３】
2008309450.tif 000005
【図４】
2008309450.tif 000006
【図５】
2008309450.tif 000007
【図６】
2008309450.tif 000008
【図７】
2008309450.tif 000009
【手続補正書】
【提出日】平成20年9月17日(2008.9.17)
【手続補正１】
【補正対象書類名】特許請求の範囲
【補正対象項目名】請求項１
【補正方法】変更
【補正の内容】
【請求項１】
前面に開口部を有する冷蔵庫本体と、
この冷蔵庫本体に引出し式にて前記開口部を開閉するように設けられた扉と、
この扉の裏側において前記冷蔵庫本体の内部の一つの貯蔵室に引出し式にて出し入れ可能に収納された貯蔵容器とを具備し、
前記貯蔵容器が３段以上の複数段に存し、
前記扉を引出したときに、前記複数段の貯蔵容器のうちの一部を除いた残りの複数段の貯蔵容器が扉と共に引出され、前記除かれた貯蔵容器は、前記引出された貯蔵容器とは別のレール部により支持されて前記貯蔵室に残る構造で、
前記扉と共に引出された複数段の貯蔵容器のうち最上段の貯蔵容器を、前記貯蔵室に残る貯蔵容器をも含む前記複数段の貯蔵容器の中で、最も容積の小さいものとしたことを特徴とする冷蔵庫。
【手続補正２】
【補正対象書類名】明細書
【補正対象項目名】００１０
【補正方法】変更
【補正の内容】
【００１０】
上記目的を達成するために、本発明の冷蔵庫においては、前面に開口部を有する冷蔵庫本体と、この冷蔵庫本体に引出し式にて前記開口部を開閉するように設けられた扉と、この扉の裏側において前記冷蔵庫本体の内部の一つの貯蔵室に引出し式にて出し入れ可能に収納された貯蔵容器とを具備し、前記貯蔵容器が３段以上の複数段に存し、前記扉を引出したときに、前記複数段の貯蔵容器のうちの一部を除いた残りの複数段の貯蔵容器が扉と共に引出され、前記除かれた貯蔵容器は、前記引出された貯蔵容器とは別のレール部により支持されて前記貯蔵室に残る構造で、前記扉と共に引出された複数段の貯蔵容器のうち最上段の貯蔵容器を、前記貯蔵室に残る貯蔵容器をも含む前記複数段の貯蔵容器の中で、最も容積の小さいものとしたことを特徴とする（請求項１の発明）。
【手続補正３】
【補正対象書類名】明細書
【補正対象項目名】００１１
【補正方法】変更
【補正の内容】
【００１１】
上記手段によれば、扉を引出すときには、その扉の裏側において冷蔵庫本体の内部の一つの貯蔵室に引出し式にて出し入れ可能に収納された３段以上の複数段の貯蔵容器のうち、その貯蔵室に残る貯蔵容器以外の貯蔵容器しか扉と共に引出されず、その分、引出し操作に力が要らない。又、引出した最下段の貯蔵容器の上には、引出した貯蔵容器とは別のレール部により支持されて上記貯蔵室に残った貯蔵容器以外の貯蔵容器しか位置せず、それだけの貯蔵容器を貯蔵室に移動させるだけで、最下段の貯蔵容器に貯蔵された食品を取出すことができるので、使い勝手が良い。
【手続補正４】
【補正対象書類名】明細書
【補正対象項目名】００１２
【補正方法】変更
【補正の内容】
【００１２】
そして、扉の裏側において上記貯蔵室に収納された上記３段以上の複数段の貯蔵容器のうち、最も容積が小さくて出し入れの頻度の最も高い貯蔵容器は、扉と共に引出された複数段の貯蔵容器のうちの、最上段の貯蔵容器であり、扉と共に引出されるものであるから、扉の引出し後に引出す手間が必要ない。又、その引出された最上段の貯蔵容器は見やすくもあって、それらにより、出し入れの頻度の最も高い貯蔵容器の使い勝手をも良くすることができる。
【手続補正５】
【補正対象書類名】明細書
【補正対象項目名】００３４
【補正方法】変更
【補正の内容】
【００３４】
この結果、上段の貯蔵容器１６は、凸部４１が下冷凍室５のレール部４３上を摺動し、脚部４２が中段の貯蔵容器１７の左右両側の上縁部１７ａ上を摺動することで、中段の貯蔵容器１７の上方を移動するようになっている。従って、この場合、上段の貯蔵容器１６は、凸部４２で中段の貯蔵容器１７に接触し、凸部４１でレール部４３に接触しつつ、該中段の貯蔵容器１７の上方を移動するが、その移動する過程で、前記下段の貯蔵容器１８の凹部３１に対する中段の貯蔵容器１７の凸部２４の係合のように引掛かりはなく、かくして、この場合も、図６に示すように、前記扉１５を引出したときには、上段の貯蔵容器１６が下冷凍室５に残って、下段の貯蔵容器１８と中段の貯蔵容器１７とが前述のように引出されるようになっている。